(57)【要約】装置は、移動通信装置位置決め手段８を装備した主要通信ネットワークＲＰの主要なカバレージエリアに含まれたローカルなカバレージエリアを有する、無線通信ローカルエリアネットワークＷＬＡＮ−ｉへのアクセスを制御することを対象とする。本装置は、管理手段２０を備え、該管理手段２０は、位置決め手段８に接続され、かつｉ）ローカルなカバレージエリアにほぼ位置する移動装置の第１の識別子を選択するために、少なくともいくつかの移動装置９の位置をローカルなカバレージエリアの位置と比較し、ｉｉ）メーセージングサーバ１０が、ユーザが位置するローカルなカバレージエリアのローカルエリアネットワークＷＬＡＮ−ｉにユーザが接続することができることをユーザに通知するメッセージを送信するために、選択された各移動装置９の第１の識別子を含む命令を主要ネットワークＲＰのメッセージングサーバ１０に送信するように構成される。
2005528851.tif 000002
【特許請求の範囲】
【請求項１】
ローカルなカバレージエリアを有する無線通信ローカルエリアネットワーク（ＷＬＡＮ−ｉ）へのアクセスを制御する方法であって、前記ローカルなカバレージエリアの少なくとも一部が、主要通信ネットワーク（ＲＰ）の主要なカバレージエリア内にあり、前記方法が、
前記主要なカバレージエリアに存在する前記主要ネットワーク（ＲＰ）の顧客が所有する少なくともいくつかの移動通信装置（９）の位置を決定するステップと、
位置が前記無線通信ローカルエリアネットワーク（ＷＬＡＮ−ｉ）の前記ローカルなカバレージエリア内にある移動装置（９）を検出するステップと、
検出された移動装置（９）に、前記主要ネットワーク（ＲＰ）を介して、移動装置が接続することができる無線通信ローカルエリアネットワークの前記ローカルなカバレージエリアに移動装置があることを、ユーザに通知するメッセージを送信するステップとを含み、
位置が前記無線通信ローカルエリアネットワーク（ＷＬＡＮ−ｉ）の前記ローカルなカバレージエリア内にある移動装置（９）を検出するために、前記主要ネットワーク（ＲＰ）の管理手段（２０）が、各移動装置（９）の位置を少なくとも１つのローカルなカバレージエリアの位置と比較すること、および、
検出された移動装置（９）にメッセージを送信するために、前記主要ネットワーク（ＲＰ）の前記管理手段（２０）が、前記ローカルなカバレージエリアに位置する移動装置（９）を識別する第１の識別子を選択することを特徴とする方法。
【請求項２】
検出された移動装置（９）にメッセージを送信するために、さらに、第１の識別子を選択した後、前記選択された第１の識別子からローカルエリアネットワークへのアクセスの許可に関連付けられた第１の識別子を保持するために、移動装置の第１の識別子と、ローカルエリアネットワーク（ＷＬＡＮ−ｉ）へのアクセスの許可との対応を列挙した第１のテーブルにアクセスし、次いで、第１の識別子が保持されている前記移動装置（９）にメッセージを送信することを含むことを特徴とする、請求項１に記載の方法。
【請求項３】
各メッセージが、それ自体の第２の識別子を含み、前記ローカルエリアネットワークに接続しようと試みる場合に、選択または保持された移動装置のユーザは、自分が受信した前記第２の識別子を与えなければならないことを特徴とする、請求項１に記載の方法。
【請求項４】
第３の識別子と関連付けられた第２の識別子を受信する際に、前記関連を認証するために、第２の識別子と第３の識別子との対応を列挙した第２のテーブルが、前記ローカルエリアネットワーク（ＷＡＮ−ｉ）を介してアクセスされ、次いで認証する場合に、前記移動装置（９）が、前記ローカルエリアネットワークへのアクセスが許可されることを特徴とする、請求項３に記載の方法。
【請求項５】
前記第２の識別子が、単一の使用のためのものであることを特徴とする、請求項３に記載の方法。
【請求項６】
前記メッセージが、ショートメッセージサービスを使用して送信されることを特徴とする、請求項１に記載の方法。
【請求項７】
前記ローカルエリアネットワーク（ＷＬＡＮ−ｉ）を介して私設セキュアネットワーク（ＩＮＴＲＡＮＥＴ）にアクセスする場合に、接続が、セキュアトンネルを介して、前記私設セキュアネットワークと前記ローカルエリアネットワークとの間にセットアップされることを特徴とする、請求項１に記載の方法。
【請求項８】
前記ローカルエリアネットワーク（ＷＬＡＮ−ｉ）を介して有料サービスにアクセスする場合に、前記サービスにアクセスした前記移動装置（９）の前記主要ネットワーク（ＲＰ）を介して前記サービスを請求するために、前記アクセスされたサービスに関する支払いデータが回収されることを特徴とする、請求項１に記載の方法。
【請求項９】
ローカルなカバレージエリアを有する無線通信ローカルエリアネットワーク（ＷＬＡＮ−ｉ）へのアクセスを制御するための装置であって、前記ローカルなカベレージエリアの少なくとも一部が、移動通信装置の位置決め手段（８）を装備した主要通信ネットワーク（ＲＰ）の主要なカバレージエリアに含まれ、前記アクセスを制御するため装置が、前記位置決め手段（８）に接続される主要ネットワーク（ＲＰ）を管理するための管理手段（２０）を含み、該管理手段（２０）が、
少なくともいくつかの前記移動装置（９）の位置を、少なくとも１つのローカルなカバレージエリアの位置と比較し、
前記ローカルなカバレージエリアに位置する移動装置の第１の識別子を選択し、かつ
メッセージサーバが、移動装置が接続することができる無線通信ローカルエリアネットワークのローカルなカバレージエリアに移動装置があることを移動装置のユーザに通知するメッセージを、前記移動装置それぞれに送信するために、各選択された移動装置（９）の前記第１の識別子を含む命令を前記主要ネットワークのメッセージサーバ（１０）に送信するように構成されることを特徴とする装置。
【請求項１０】
移動装置（９）の第１の識別子とローカルネットワーク（ＷＬＡＮ−ｉ）へのアクセスの許可との対応を列挙した第１のテーブルを記憶するための第１のメモリ（１８）を備え、前記管理モジュール（２０）が、前記関連付けられた移動装置が位置する前記ローカルなカバレージエリアの無線通信ローカルエリアネットワーク（ＷＬＡＮ−ｉ）にアクセスする許可を有する前記選択された第１の識別子を保持するために、前記第１のメモリ（１８）に接続され、かつ前記第１の対応テーブルにアクセスするように構成されることを特徴とする、請求項９に記載の装置。
【請求項１１】
前記管理手段（２０）が、割り当てられた第２の識別子を含む命令を、前記メッセージサーバ（１０）に送信するように構成され、前記第２の識別子が、保持された各移動装置（９）に特有であり、かつ前記ローカルエリアネットワークに接続しようと試みる場合に、前記ローカルエリアネットワーク（ＷＬＡＮ−ｉ）のアクセスポイント（１２、１４）の１つに対応する移動装置によって与えられなければならないことを特徴とする、請求項９に記載の装置。
【請求項１２】
前記管理手段（２０）によって供給され、かつ前記割り当てられた第２の識別子と関連付けられた第３の識別子との対応を列挙した第２のテーブルを記憶するように構成された、第２のメモリ（２１）を備え、第３の識別子が、前記関連付けられた第２の識別子と共に供給されることを特徴とする、請求項１１に記載の装置。
【請求項１３】
前記第２のメモリ（２１）が、移動装置（９）が前記ローカルエリアネットワーク（ＷＬＡＮ−ｉ）にアクセスするために使用した各第２の識別子を、前記第２のテーブルから削除するように構成されることを特徴とする、請求項１２に記載の装置。
【請求項１４】
前記管理手段（２０）が、少なくとも２つの独立したローカルエリアネットワークへのアクセスを制御するように構成されることを特徴とする、請求項９に記載の装置。
【請求項１５】
主要通信ネットワーク（ＲＰ）と、無線通信ローカルエリアネットワーク（ＷＬＡＮ−ｉ）とを備える通信設備であって、請求項９から１４のいずれか一項に記載の装置をさらに備えることを特徴とする設備。
【請求項１６】
認証サーバ（１９）を備え、該認証サーバ（１９）が、前記第２のメモリ（２１）を含み、第３の識別子および第２の識別子を受信する際に、前記第２のテーブルに記憶されている識別子との比較に基づいて識別子の認証手続きを実施するように構成され、各ローカルエリアネットワーク（ＷＬＡＮ−ｉ）が、第３の識別子に関連付けられた第２の識別子を受信する際に、（ｉ）受信した前記第２の識別子および前記第３の識別子を認証する要求を前記認証サーバ（１９）に送信し、（ｉｉ）前記認証サーバ（１９）による認証の場合に、移動装置が位置する前記ローカルエリアネットワーク（ＷＬＡＮ−ｉ）にアクセスするために、前記第３の識別子によって指定された前記移動装置（９）を認証するように構成されたアクセスポイント（１２、１４）を含むことを特徴とする、請求項１５に記載の設備。
【請求項１７】
私設セキュアネットワーク（ＩＮＴＲＡＮＥＴ）も備え、該私設セキュアネットワーク（ＩＮＴＲＡＮＥＴ）が、前記主要ネットワーク（ＲＰ）の少なくとも１つに接続されたアクセスサーバ（１６、１７）と、前記主要ネットワークに接続された接続手段とを備え、該接続手段が、前記ローカルエリアネットワーク（ＷＬＡＮ−ｉ）の１つを介して私設セキュアネットワークにアクセスすることを要求する場合に、前記私設ネットワークと前記ローカルエリアネットワークとの間にセキュアトンネルをセットアップするように構成されることを特徴とする、請求項１５に記載の設備。
【請求項１８】
前記私設ネットワーク（ＩＮＴＲＡＮＥＴ）が、公衆ネットワーク（ＩＮＴＥＲＮＥＴ）に接続されることを特徴とする、請求項１７に記載の設備。
【請求項１９】
請求サーバ（１９）を備え、該請求サーバ（１９）が、前記ローカルエリアネットワーク（ＷＬＡＮ−ｉ）の１つを介して移動装置（９）によって有料サービスにアクセスする場合に、前記アクセスされたサービスに関する支払いデータを回収し、かつ前記サービスを表す請求書を、前記移動装置のユーザが顧客である前記主要ネットワーク（ＲＰ）の管理サーバ（１０）に送信するように構成されることを特徴とする、請求項１５に記載の設備。
【請求項２０】
前記ローカルエリアネットワーク（ＷＬＡＮ−ｉ）が、アクセスプロバイダ（１）のアクセスサーバを介して公衆ネットワーク（ＩＮＴＥＲＮＥＴ）に接続されることを特徴とする、請求項１５に記載の設備。
【請求項２１】
前記主要ネットワーク（ＲＰ）が、公衆ネットワーク（ＩＮＴＥＲＮＥＴ）に接続されることを特徴とする、請求項１５に記載の設備。
【発明の詳細な説明】
【技術分野】
【０００１】
本発明の分野は、ネットワークの端末間における通信の分野であり、より具体的には、無線ローカルエリアネットワークへのアクセスを制御することである。
【背景技術】
【０００２】
移動電話オペレータは、インターネットなどの公衆ネットワークおよびイントラネット企業ネットワークなどの私設ネットワークへのアクセスを与えるサービスを含めて、移動通信装置が提供されている顧客に対し多くのサービスを利用可能とする。しかし、駅および空港など「ホットスポット」として知られている場所で、同時に使用される移動装置の密度が高いために、これらのサービスへのアクセス時間は、しばしば長く、比較的頻繁に中断される。
【０００３】
この問題を解決するための１つの従来の解決方法は、いくつかの移動装置が、無線ローカルエリアネットワーク（ＷＬＡＮ）に接続することを可能にすることであり、無線ローカルエリアネットワーク（ＷＬＡＮ）は、具体的にはいくつかのホットスポットにおいてすでに装備され、アクセスプロバイダを介してインターネットに接続され、かつインターネットを介してイントラネットネットワークに接続されていることもある。しかし、ＷＬＡＮに接続することができるようにするために、ユーザは、自分の移動装置が接続される権利があるＷＬＡＮのカバレージエリアにいることを認識しなければならない。
【０００４】
また、ＷＬＡＮは、ユーザを認証できなければならず、ユーザの移動装置は、取外し可能または一体式のＷＬＡＮカードなど、そのタイプのネットワークにアクセスするための標準的なハードウエアを備えているだけでなく、特有の追加のハードウエア、具体的には末端ユーザによる使用が十分に安全であることを保証するように構成された第２のＳＩＭカードを読み取るための装置をも備えていなければならない。特有の追加のハードウエアにより、移動装置の全体的なサイズおよび／または重量が増大する。さらに、ユーザは、特有の追加のハードウエアは標準として装備されていないので、自分で獲得しなければならない。
【０００５】
文献ＧＢ２  ３１３  ２５７は、ユーザが、自分がＷＬＡＮのカバレージエリアにいるかどうかを判定することを可能にする方法について記載している。しかし、この場合、自分がローカルエリアネットワークのカバレージエリアにいて、アクセスする権利が与えらていることを確認するために、ユーザが主導権を取って、主要ネットワークに接続されているサーバに呼をセットアップしなければならない。端末が、ユーザの位置を決定し（たとえば、ＧＰＳ受信器を使用して）、ユーザが、自分の位置をサーバに示し、次いで、サーバがその位置を考慮して、適切であれば、カバレージエリアが端末の位置を含む１つまたは複数のローカルエリアネットワークを識別するデータを供給する。または、サーバが、多くの位置で既存のローカルエリアネットワークのカバレージエリアを画定するデータを提供し、この場合、端末は、それ自体で端末の位置をローカルエリアネットワークのカバレージエリアと比較して、端末がカバレージエリアにいるかどうかを独自に判定しなければならない。この従来技術の方法は、ユーザが、主導権を取ってサーバに呼をセットアップすることを必要とするという欠点を有する。
【発明の開示】
【発明が解決しようとする課題】
【０００６】
したがって、本発明の目的は、上述した問題のいくつかまたはすべてを解決することである。
【課題を解決するための手段】
【０００７】
このために、本発明は、ローカルなカバレージエリアを有する無線通信ローカルエリアネットワーク（ＷＬＡＮ−ｉ）へのアクセスを制御する方法を提供し、このローカルなカバレージエリアの少なくとも一部が、主要通信ネットワークの主要なカバレージエリア内にある。本方法は、
前記主要なカバレージエリアに存在する前記主要ネットワークの顧客が所有する少なくともいくつかの移動通信装置の位置を決定するステップと、
位置が無線通信ローカルエリアネットワークのローカルなカバレージエリア内にある移動装置を検出するステップと、
検出された移動装置に、前記主要ネットワークを介して、移動装置が接続することができるローカルエリアネットワークのローカルなカバレージエリアに移動装置があることをユーザに通知するメッセージを送信するステップとを含み、
本方法は、
位置が無線通信ローカルエリアネットワークのローカルなカバレージエリア内にある移動装置を検出するために、主要ネットワークの管理手段が、各移動装置の位置を少なくとも１つのローカルなカバレージエリアの位置と比較すること、および
検出された移動装置にメッセージを送信するために、主要ネットワークの管理手段が、前記ローカルなカバレージエリアに位置する移動装置を識別する第１の識別子を選択することを特徴とする。
【０００８】
この文脈では、「ローカルなカバレージエリアにほぼ位置する」という表現は、ローカルなカバレージエリアの内部またはその近傍（もしくは周辺）を意味する。さらに、この文脈では、「移動通信装置」という表現は、無線ローカルエリアネットワーク（ＷＬＡＮ）にアクセスする手段を含むことが好ましい、顧客の移動装置の移動電話オペレータの主要ネットワークからメッセージを受信することができるあらゆる移動装置（または端末）を指す。しかし、これは、本質的ではない。メッセージを受信する移動装置は、たとえば無線ローカルエリアネットワークにアクセスする手段を装備した他の移動装置を有する、個人が所有する「標準的な」移動電話とすることができ、たとえば、８０２．１１タイプの規格に準拠する取外し式カードまたは一体式カードを装備した、携帯式マイクロコンピュータまたは携帯情報端末（ＰＤＡ）などがある。
【０００９】
したがって、顧客／ユーザは、自分の移動装置を特別に適合させる必要はない。顧客／ユーザが無線ローカルエリアネットワークの範囲内にいる、またはその近傍にいるたびに、顧客／ユーザが顧客である主要ネットワークの電話オペレータなどから、ＳＭＳ（ショートメッセージサービス）などのメッセージを顧客／ユーザの移動装置の１つで自動的に受信する。次いで、無線ローカルエリアネットワークを介して、サービスにアクセスすることを要求することができる。
【００１０】
第１の識別子を選択する段階の後、選択された第１の識別子から、関連付けられた移動装置が位置するローカルなカバレージエリアのローカルエリアネットワークへのアクセスの許可を有する第１の識別子を保持するために、移動装置の第１の識別子とローカルエリアネットワークに関するアクセス許可（または利益）との対応を列挙した第１のテーブルにアクセスすることが好ましい。この場合、メッセージは、第１の識別子が保持されている移動装置にのみ送信される。
【００１１】
アクセスの要求は、識別子の認証手続きを含むことが好ましい。このために、各メッセージは、単一の使用のためのものであることが好ましいパスワードなどの第２の識別子を含むことが可能であり、この第２の識別子は、移動装置をローカルエリアネットワークに接続することを試行する際に、無線ローカルエリアネットワークに与えられなければならない。次いで、第２の識別子とユーザ名などの第３の識別子との対応を列挙した第２のテーブルが提供され、認証を実施するために、第３の識別子と関連付けられている第２の識別子を受信する際に、第２のテーブルにアクセスする。次いで、認証が成功した場合、移動装置は、ローカルエリアネットワークへのアクセスを許可される。この許可は、非限定期間のセッション、または期間もしくは伝送データ量について制限されているセッションに対して与えることができる。
【００１２】
さらに、無線ローカルエリアネットワークを介して私設セキュアネットワークにアクセスすることを要求する場合に、ＩＰｓｅｃトンネルなどの接続セキュアトンネルが、私設ネットワークとローカルエリアネットワークとの間にセットアップされることが好ましい。
【００１３】
さらに、移動装置によってローカルエリアネットワークを介して有料サービスにアクセスする場合に、主要ネットワークを介して移動装置に請求するために、前記サービスに関係する支払いデータを回収することが可能である。
【００１４】
本発明は、また、ローカルなカバレージエリアを有する無線通信ローカルエリアネットワークへのアクセスを制御するための装置にも関し、ローカルなカバレージエリアの少なくとも一部が、位置ベースサービス（ＬＢＳ）などの移動通信装置の位置決め手段を装備した主要通信ネットワークの主要なカバレージエリアに含まれる。
【００１５】
本装置は、位置決め手段に接続された管理手段を含み、該管理手段が、
ローカルなカバレージエリアにほぼ位置する移動装置の第１の識別子を選択するために、少なくともいくつかの移動装置の位置を少なくとも１つのローカルなカバレージエリアの位置と比較し、
メッセージサーバが、主要ネットワークを介して、移動装置が接続することができるローカルエリアネットワークのローカルなカバレージエリアに移動装置があることをユーザに通知するメッセージを移動装置に送信するために、第１の識別子を含む命令を、各選択された移動装置の主要ネットワークのメッセージサーバに送信するように構成されることを特徴とする。
【００１６】
本装置は、また、移動装置の第１の識別子とローカルネットワークへのアクセス許可（および／または利益）との対応を列挙した第１のテーブルを記憶するための第１のメモリをも備えることが好ましい。この場合、管理モジュールは、関連付けられた移動装置が位置するローカルなカバレージエリアのローカルエリアネットワークにアクセスするための許可（および／またはアクセスすることからの利益）を有する選択された第１の識別子を保持するために、第１のメモリに接続され、かつ第１の対応テーブルにアクセスするように構成される。
【００１７】
管理手段は、パスワードなどの割り当てられた第２の識別子も含む命令を、当該メッセージサーバに送信するように構成されることが好ましい。第２の識別子は、保持または選択された移動装置のユーザに特有であり、ローカルエリアネットワークに接続しようと試みる場合に、移動装置が位置するローカルエリアネットワークのアクセスポイントの１つに対応する移動装置によって与えられなければならない。この場合、管理手段に接続され、かつ割り当てられた第２の識別子と関連付けられた第３の識別子との対応を列挙した第２のテーブルを記憶する第２のメモリが提供される。第２のメモリは、関連付けられた移動装置が、ローカルエリアネットワークにアクセスするために使用した各第２の識別子を、第２のテーブルから削除するように構成されることが好ましい。
【００１８】
本発明は、主要通信ネットワークと、無線通信ローカルエリアネットワークと、上述したタイプの装置とを備える通信設備をさらに提供する。
【００１９】
この設備は、認証サーバを備えることが好ましく、該認証サーバは、第２のメモリを含み、かつ第３の識別子および第２の識別子を受信する際に、第２のテーブルに記憶されている識別子との比較に基づいて、識別子の認証手続きを実施するように構成される。この場合、各ローカルエリアネットワークは、アクセスポイントを含む、該アクセスポイントは、第１に、第３の識別子と関連付けられた第２の識別子を受信する際に、受信した第２の識別子および第３の識別子の認証の要求を認証サーバに送信することができ、第２に、認証サーバによって認証する場合に、移動装置が位置するローカルエリアネットワークにアクセスする目的で、第３の識別子によって指定された移動装置を認証することができる。
【００２０】
この設備は、また、１つまたは複数の私設セキュアネットワークをも備えることが可能である。この私設セキュアネットワークは、主要ネットワークおよびインターネットに接続されることが好ましい。それぞれ私設セキュアネットワークが、アクセスサーバおよび接続手段を備え、該接続手段は、主要ネットワークに接続され、かつ無線ローカルエリアネットワークの１つを介して私設セキュアネットワークにアクセスすることを要求する場合に、私設ネットワークとローカルエリアネットワークとの間にセキュアトンネルをセットアップすることができる。
【００２１】
この設備は、請求サーバをさらに備えることが可能であり、該請求サーバは、移動装置によってローカルエリアネットワークの１つを介して有料サービスにアクセスする場合に、前記サービスに関する支払いデータを回収し、かつ前記サービスを表す請求書を、移動装置のユーザが顧客である主要ネットワークの管理サーバに送信するように構成される。
【００２２】
さらに、各ローカルエリアネットワークは、アクセスプロバイダのアクセスサーバを介してインターネット公衆ネットワークに接続されることが好ましい。
【００２３】
本発明は、私設通信ネットワークまたは公衆通信ネットワークの多くのタイプにおいて実施することが可能であり、具体的には、無線ローカルエリアネットワーク（ＷＬＡＮ）、ならびに具体的にはＧＳＭ、ＧＰＲＳ、およびＵＭＴＳのネットワークなど、メッセージサービスおよび位置サービスを提供する移動装置のための通信ネットワークにおいて実施することが可能であり、またスラヤ（Ｔｈｕｒａｙａ）およびイリジウム（Ｉｒｉｄｉｕｍ）などの衛星アクセスネットワークにおいて実施することが可能である。
【００２４】
本発明の他の特徴および利点は、以下の詳細な記述を読み、かつ本発明の設備の１つの実施形態を概略的に示す添付の図面の唯一の図を考慮することで明らかになるであろう。この図は、特有の性質の大部分についてのものであり、したがって、本発明の記述の一部を構成することができ、必要であれば本発明の規定に寄与することができる。
【発明を実施するための最良の形態】
【００２５】
本発明の通信設備は、移動電話オペレータに属する少なくとも１つの主要（無線）通信ネットワークＲＰと、インターネットプロトコル公衆ネットワークと、アクセスプロバイダの少なくとも１つのインターネットアクセスサーバ１と、インターネットアクセスサーバ１に接続されることが好ましい、少なくとも１つの無線ローカルエリアネットワークＷＬＡＮ−１とを含む。図の点線矩形２は、すべて、アクセスプロバイダを表す。
【００２６】
主要ネットワークＲＰは、国など、主要な地理的エリアに装備（または配備）される。このネットワークは、たとえば、ＧＳＭ、ＧＰＲＳ、またはＵＭＴＳのネットワークである。このタイプのネットワークは、本発明の主題を構成せず、当技術者にはよく知られており、したがって、ここでは詳細に記述しない。一般に、これは、ＧＳＭ（またはＧＰＲＳ）ネットワークにおいて知られているように、複数の基地送受信局（ＢＴＳ）３を含む（ＵＭＴＳネットワークでは、ノードＢとして知られている）。基地送受信局それぞれは、主要エリアの一部を網羅するセルと関連付けられ、かつやはりノードと呼ばれる複数のタイプの端末４、５、および６に直接的または間接的に接続される。ＧＰＲＳネットワークのノードは、たとえば、サービスＧＰＲＳサービングノード（ＳＧＳＮ）４、すなわちＳＧＳＮ４に接続された、２Ｇまたは２．５Ｇネットワークの場合の基地局制御装置（ＢＳＣ）、または３Ｇネットワークの場合の無線ネットワーク制御装置（ＲＮＣ）、ＳＧＳＮ４およびインターネットに接続されたゲートウエイＧＰＲＳサービングノード（ＧＧＳＮ）５、ならびにＳＧＳＮ４および少なくとも１つのイントラネット私設ネットワーク（以下参照）に接続されたコアネットワーク（ＣＮ）６である。
【００２７】
さらに、示した例では、ＳＧＳＮ４は、位置サーバ７にも接続される。位置サーバ７は、主要ネットワークＲＰ、ならびにたとえばＧＳＭネットワークおよびＵＭＴＳネットワークなどにおいて、顧客の移動通信装置（または端末）９の位置を検出および記憶するように構成された位置決めモジュール８を備える。ＳＧＳＮ４は、さらに、主要ネットワークＲＰの顧客データベースを含んでいるホーム位置レジスタ（ＨＬＲ）に接続される。たとえば、移動装置９は、電話番号、メッセージアドレスなどの関連付けられた第１の識別子、もしくは移動装置を互いに識別して、メッセージを移動装置に送信することを可能にするあらゆる他の識別子を有する、移動電話、携帯式マイクロコンピュータ、または携帯情報端末（ＰＤＡ）である。
【００２８】
ここで議論する例では、位置サーバ７は、位置ベースサービス（ＬＢＳ）モジュールなどの位置サービスモジュール１１を装備したインテリジェントネットワーク（ＩＮ）タイプのサービスサーバ１０に最終的に結合される。インテリジェントネットワークサービスサーバ１０は、ＨＬＲに接続され、スイッチ／ルータとサービスアプリケーションとの間に装備された追加のインテリジェンス層を使用して、かつ主要ネットワークの構造を変更せずに、新しいサービスおよび新しい機能を主要ネットワークＲＰに導入するために使用される。位置サービスモジュール１１は、顧客の移動装置９の位置に関するあらゆるタイプのサービスを提供するように構成され、したがって、位置サーバ７と共に機能する。
【００２９】
異なる実施形態では、位置サーバ７は、位置決めモジュール８をサービスサーバ１０に装備することによって不要にすることができる。位置サービスモジュール（またはＬＢＳモジュール）１１自体を有することにより、位置検出が提供され、位置決めモジュール８の機能を備えることも考慮することができる。この場合、サービスサーバ１０、したがってその位置サービスモジュール１１は、インテリジェントネットワークＩＮの標準的な機構によって、ＨＬＲおよび／またはＳＧＳＮ４に接続される。
【００３０】
主要ネットワークＲＰによって、移動電話オペレータの顧客は、自分の移動通信装置９と遠隔固定通信装置または移動通信装置との間に接続をセットアップすることができる。顧客は、可能であればアクセスプロバイダのインターネットアクセスサーバ１、または図においてＩＮＴＲＡＮＥＴと示されたネットワークなどの私設ネットワークを介して、具体的にはＩＮＴＥＲＮＥＴにアクセスすることができる。
【００３１】
本質的に、同じ地理的エリアの異なるオペレータに属する複数の主要ネットワークが存在し、主要ネットワークのそれぞれが、それ自体の顧客を有することが一般的である。
【００３２】
第１の無線ローカルエリアネットワークＷＬＡＮ−１は、たとえば、第１のローカルエリアと呼ばれ、かつ主要エリアの内部に含まれる空港に装備（または配備）される。これは、たとえば、移動通信装置９が、無線ローカルエリアネットワークに接続するためのハードウエア（たとえば、８０２．１１規格に準拠している、取外し式または一体式のＰＣ  ＷＬＡＮカードまたはＰＤＡ  ＷＬＡＮカード）を装備している場合、移動通信装置９が無線によって接続することができる１つまたは複数のアクセスポイント１２を有する無線ローカルエリアネットワーク（ＷＬＡＮ）である。アクセスポイント１２は、アクセスルータ１３に接続され、このアクセスルータ自体は、アクセスプロバイダのインターネットアクセスサーバ１に接続される。
【００３３】
単一の図に示した例では、設備は、インターネットアクセスサーバ１および私設ネットワークＩＮＴＲＡＮＥＴに接続されることが好ましい、第２の無線ローカルエリアネットワークＷＬＡＮ−２をも含む。
【００３４】
第２の無線ローカルエリアネットワークＷＬＡＮ−２は、たとえば、第１の無線ローカルエリアネットワークＷＬＡＮ−１と同じタイプである。これは、たとえば、第２のローカルエリアと呼ばれ、かつ主要エリアの内部に含まれる、電車の駅を含むエリアに装備（または配備）される。そのアクセスポイント１４は、アクセスルータ１５に接続され、このアクセスルータ自体は、アクセスプロバイダのインターネットアクセスサーバ１に接続される。このアクセスサーバは、この場合、第１の無線ローカルエリアネットワークＷＬＡＮ−１と同じであるが、他のアクセスサーバとすることもできる。
【００３５】
たとえば、私設ネットワークＩＮＴＲＡＮＥＴは、ＩＮＴＲＡＮＥＴに安全にアクセスするためのＩＰｓｅｃファイアウォール／ゲートウエイタイプであることが好ましい第１のファイアウォールサーバ１６と、可能であれば主要ネットワークＲＰのノード６に接続された安全な第２のファイアウォールサーバ１７とを装備した企業ネットワークである。２つのファイアウォールサーバ１６および１７によって、私設ネットワークＩＮＴＲＡＮＥＴを所有する企業のために機能している主要ネットワークＲＰの顧客は、遠隔的に、前記主要ネットワークＲＰを介してそのネットワークに接続し、かつ前記私設ネットワークＩＮＴＲＡＮＥＴを介してＩＮＴＥＲＮＥＴに接続することができる。
【００３６】
示した例では、ネットワークは、それぞれのカバレージエリアを表す閉じた曲線によって表されている。ＩＮＴＥＲＮＥＴおよび主要ネットワークＲＰのカバレージエリアは、他のネットワークのカバレージエリアよりはるかに大きく、かつそれらを含むので、破線で示されている。
【００３７】
示した例では、本発明の設備は、２つの無線通信ローカルエリアネットワークＷＬＡＮ−１およびＷＬＡＮ−２へのアクセスを制御するように構成された装置を含む。
【００３８】
より精確には、装置は、無線ローカルエリアネットワークＷＬＡＮ−ｉ（この場合、ｉ＝１，２）の１つを介して、主要ネットワークＲＰのある顧客の移動装置９と、インターネットおよび／または私設ネットワークＩＮＴＲＡＮＥＴとの間の接続をセットアップするように構成される。その結果、具体的にはＷＬＡＮが、主要ネットワークＲＰより大きい帯域幅を提供する場合、主要ネットワークＲＰのオペレータによって提供されるサービス品質のレベルを維持することができ、またはさらに改善することができる。本質的に、上述したように、このタイプのアクセスは、無線ローカルエリアネットワークに接続するための標準的なハードウエア（たとえば、８０２．１１規格に準拠する、取外し式または一体式のＰＣ  ＷＬＡＮカードまたはＰＤＡ  ＷＬＡＮカード）を装備した移動通信装置９を有する顧客にのみ関する。
【００３９】
この目的を達成するために、本発明の装置は、主要ネットワークＲＰの移動装置９の第１の識別子と、無線ローカルエリアネットワークＷＬＡＮ−ｉへのアクセスの許可（および／または利益）との対応を列挙した第１のテーブルを記憶する第１のメモリ１８を有することが好ましい。この第１のテーブルでは、たとえば、対応する顧客が、主要ネットワークＲＰのオペレータで複数のアクセス許可（および／または利益）を交渉した場合、第１の識別子を複数の無線ネットワークに関連付けることができる。上述したように、この第１の識別子は、移動装置が無線ローカルエリアネットワークに接続することができることを必ずしも指定しない。このようにすることが可能であるが、同様に、たとえばＰＤＡまたはマイクロプロセッサなど、上述した接続をセットアップすることができる第２の移動装置をも有する顧客が所有する、移動電話の形態の第１の移動装置を指定することができる。
【００４０】
一般的な場合のように、複数のオペレータが存在するとき、第１のメモリ１８が、各オペレータの主要ネットワークに提供される。このメモリは、図に示すように、サービスサーバ１０など、オペレータのサーバに装備されることが好ましい。各第１のテーブルのコピーも、さまざまなインターネットアクセスプロバイダに共通の許可、認証、会計（ＡＡＡ）サーバなど、サーバ１９に記憶することができる。本発明の装置は、存在する際は、位置決めモジュール８に接続された管理モジュール２０、位置サービスモジュール１１、および第１のメモリ１８を含む。
【００４１】
管理モジュール２０は、オペレータのサービスサーバ１０に装備されることが好ましいが、例えば、位置サーバ７など、オペレータの他のサーバに装備することもできる。より精確には、複数の動作を実施するように構成された管理モジュールを、第１のメモリ１８と同じサーバに装備することが好ましい。
【００４２】
第１の動作は、ローカルエリアの１つのほぼ範囲内または周辺にある位置を選択するために、無線ローカルエリアネットワークＷＬＡＮ−ｉに接続することができると列挙された、またはそのタイプの接続を実施することができる他の移動通信装置と関連付けられていると列挙された、位置サーバ７の位置決めモジュール８によって供給された移動装置９の位置を、第１のローカルエリアおよび第２のローカルエリアの位置と比較する。
【００４３】
第２の動作は、選択された移動装置９が接続されている主要ネットワークＲＰの範囲内において位置をメッセージ通知する役割を担うモジュールに命令を送信する。命令は、少なくとも第１の識別子と、主要ネットワークＲＰを介して受信した第１の識別子の１つによって指定された各移動装置９に、移動装置が位置する、または移動装置が入ろうとしているローカルエリアの無線ローカルエリアネットワークＷＬＡＮ−ｉに移動装置が接続することができることをユーザに通知するメッセージを送信することを、モジュールに命令するコードとを含む。このモジュールは、具体的にはモジュール１１がＬＢＳタイプである場合、インテリジェントサービスサーバ１０に装備された位置サービスモジュール１１であることが好ましい。
【００４４】
モジュール１１がＬＢＳタイプであり、かつ主要ネットワークＲＰの顧客のためのデータベースを含むＨＬＲに接続されている場合、モジュール１１が、たとえばＷＬＡＮアクセス許可に対し対応する関係にあるメモリまたは第１のテーブルに記憶された、リストの第１の識別子と関連付けられた移動装置にのみメッセージを送信することを決定するために、検出された移動装置のすべての第１の識別子をモジュール１１に送信する管理モジュール２０を考慮することが可能である。
【００４５】
第１の対応テーブルが提供された場合、管理モジュール２０は、第１の動作と第２の動作との間の第３の動作を実施するように構成されることが好ましい。第３の動作は、移動装置９に関連付けられた第１の識別子に基づいて、選択された移動装置９のどれが、移動装置が位置するローカルエリアのローカルエリアネットワークに関するアクセス許可（および／または利益）を有するかを決定するために、メモリ１８に記憶された第１の対応テーブルにアクセスすることである。したがって、これらの第１の識別子は、この決定時に保持（または選択）されたものである。この場合、メッセージは、第１の識別子が保持されている移動装置にのみ送信される。
【００４６】
命令を受信する際に、位置サービスモジュール１１は、選択または保持された各移動装置９に特有のメッセージを生成する。これらのメッセージは、ショートメッセージサービス（ＳＭＳ）メッセージであることが好ましいが、同様に電子メールメッセージとすることもできる。
【００４７】
顧客が、自分の移動装置９でメッセージを受信したとき、顧客は、自分が位置するローカルエリアの無線ローカルエリアネットワークＷＬＡＮ−ｉに接続して、そのネットワークの内部の情報を獲得する、ＩＮＴＥＲＮＥＴに接続する、または可能であれば自分の企業ネットワークＩＮＴＲＡＮＥＴに接続することを試行することができる。
【００４８】
移動装置９が、ＷＬＡＮ−ｉに実際に接続することができるか、またはそのタイプの接続自体を実施することはできないが、そのタイプの接続を実施するために装備されたＰＤＡまたは携帯式マイクロコンピュータを有する顧客が所有するかに応じて、２つの状況を考慮することができる。後者の状況では、顧客は、自分の標準的な移動電話９で、自分の主要ネットワークＲＰによって送信された（ＳＭＳ）メッセージを受信し、適切に装備された自分のＰＤＡまたはマイクロプロセッサ９を使用して接続することを試行しなければならない。
【００４９】
検出された移動装置９がすでにローカルエリアの範囲内にあることは、必ずしも絶対に必要なことではない。検出動作に、閾値距離の概念を組み込むことを考慮することができる。したがって、移動装置が、ローカルエリアの境界から閾値距離より短い距離にある場合、移動装置にメッセージを送信することができる。この機能は、具体的には、ユーザが関連付けられた無線ローカルエリアネットワークに接続することを試行することができるローカルエリアに入る点にユーザがいる、またはそのローカルエリアの近傍にいることをユーザに通知するために使用することができる。本発明によって、顧客は、近傍のローカルエリアに行って、具体的には、自分がそのローカルエリア外でセットアップすることができない接続をセットアップすることができる。その結果、移動装置９とローカルエリアの境界との距離を表す情報を、メッセージに含むことを考慮することができる。その結果、ユーザが、存在が信号で通知される自分の近傍のローカルエリアを見つけることを可能にする情報を、メッセージに備えることを考慮することができる。
【００５０】
顧客の移動装置９は、顧客の最も近いアクセスポイント１２または１４を介して、無線ローカルエリアネットワークＷＬＡＮ−ｉに接続される。次いで、アクセスポイント１２または１４は、ウエブタイプのホームページを移動装置９に送信し、それにより、移動装置９は、無線ローカルエリアネットワークＷＬＡＮ−ｉに特有の情報を表示することができ、および／または無線ローカルエリアネットワークＷＬＡＮ−ｉのルータ１３が接続されているインターネットアクセスサーバ１を介して、インターネットネットワークもしくはイントラネットネットワークに接続することができる。
【００５１】
インターネットネットワークまたはイントラネットネットワークへの接続は、安全な方式で実施されることが好ましい。このために、保持（または検出）された移動装置に送信されたメッセージは、英数字のパスワードなどの、第２の識別子を組み込むことができる。
【００５２】
パスワードは、管理モジュール２０によって割り当てられることが好ましくは、たとえば、無作為に抽出される。この場合、第２の識別子は、他のメッセージ生成命令と共に、位置サービスモジュール１１に送信される。第２の識別子は、ユーザ名とすることができる第３の識別子または第１の識別子に対して対応する関係にある第２のテーブルに記憶されることが好ましい。第２のテーブルは、たとえば、第１のメモリ１８に記憶される。迅速な処理のために、さまざまなオペレータに特有の第２のテーブルのコピーを、さまざまなインターネットアクセスプロバイダに共通のサーバ１９の第２のメモリに記憶することも好ましい。これは、サーバ１９がＡＡＡタイプである場合、特に有利であるが、その理由は、このタイプのサーバが、具体的には認証手続きを実施するように構成されるからである。この場合、第２のテーブルを主要ネットワークからＡＡＡサーバ１９に転送することを可能にするために、プロキシサーバなどのサーバ２２が提供され、各主要ネットワークＲＰのＧＧＳＮ５およびＡＡＡサーバ１９に接続されることが好ましい。認証手続きが考慮される場合、無線ローカルエリアネットワークＷＬＡＮ−ｉのアクセスポイント１２および１４は、ユーザが自分の主要ネットワークＲＰから受信した第２の識別子、および適用可能であれば自分のユーザ名（第３の識別子）を可能にするように促すホームページを、移動装置９に供給するように構成されなければならない。会社ＣＯＬＵＢＲＩＳによって販売されたアクセスポイントを含めて、いくつかのアクセスポイントが、この目的のために装備される。
【００５３】
第２の識別子および第３の識別子を所有した後、アクセスポイント１２または１４は、ルータ１３または１５を介して認証要求をＡＡＡサーバ１９に送信する。この要求は、ユーザによって供給された識別子によって強化されたウエブページの形態で送信されることが好ましい。これは、安全なハイパーテキスト転送プロトコル（ＨＴＴＰＳ）に従って伝送されることが好ましい。この要求を受信する際に、認証モジュールは、包含している第２の識別子および第３の識別子を抽出して、それらを、第２のメモリ２１の第２のテーブルに記憶されているものと比較する。認証モジュールが認証手続きを終了したとき、認証モジュールは、接続許可または接続禁止を生成する。
【００５４】
許可の場合、該当するアクセスポイント１２または１４は、利用可能なサービスへのアクセスを移動装置９に提供する。ユーザが、ＩＮＴＥＲＮＥＴにアクセスする要求をアクセスポイントに送信した場合、ユーザの移動装置９は、ＷＬＡＮ−ｉのルータ１３または１５を介して、および前記ルータが接続されているアクセスサーバ１を介して、ＩＮＴＥＲＮＥＴに接続される。ユーザが、企業ネットワークＩＮＴＲＡＮＥＴなどの私設ネットワークにアクセスする要求をアクセスポイントに送信した場合、インターネットを介して、ＷＬＡＮ−ｉとネットワークＩＮＴＲＡＮＥＴのファイアウォール／ゲートウエイサーバ１６との間に事前に安全なリンク（またはセキュアトンネル）をセットアップすることが好ましい。セキュアトンネルは、ＩＰ公衆ネットワークを介した遠隔私設ネットワークの接続が適合されている、仮想私設ネットワーク（ＶＰＮ）セキュアインターネットプロトコル（ＩＰｓｅｃ）を使用することが好ましい。本質的に、ファイアウォール／ゲートウエイサーバ１６は、このタイプのセキュアプロトコルと共存可能でなければならない。
【００５５】
第２の識別子が、移動装置９と無線ローカルエリアネットワークＷＬＡＮ−ｉの１つの接続のみを可能にするように、第２の識別子は、単一の使用のためのものであることが好ましい。この機能を実施するために、少なくとも４つの解決方法を考慮することができる。第１の解決方法は、対応する接続許可が与えられたらすぐに、（第２の識別子、第３の識別子）対を第２のテーブルから削除することである。第２の解決方法は、移動装置９に関連付けられた対を削除する要求を、第２のメモリ２１が装備されていることが好ましいサーバ１９に送信するために、移動装置９がアクセスポイント１２または１４から分離されるのを待機することである。分離は、トラフィックを観測することによって検出することができる。たとえば、もはやトラフィックが存在しないとき、タイムアウトを適用することができる。第３の解決方法は、接続数とは関係なく、１時間など選択した限定時間期間中、ＷＬＡＮへのアクセスを許可することである。この場合、第２のメモリ２１において対を削除することは、時間期間が満了したときに命令される。第４の解決方法は、接続数とは関係なく、データのある割当てが伝送されたときに、第２のメモリ２１において対を削除することである。
【００５６】
ＷＬＡＮを介したこのタイプの接続によって、移動電話オペレータの顧客は、特に、自分のオペレータの主要ネットワークＲＰを介して行くことなく、電子メールを送信もしくは受信することができ、または私的情報にアクセスすることができる。
【００５７】
ユーザが、ＷＬＡＮを介して有料サービスにアクセスした場合、サービス請求情報が、アクセスプロバイダに共通のサーバ１９に装備されていることが好ましい収集モジュールによって収集される。これは、サーバ１９がＡＡＡタイプであるとき、特に有利であるが、その理由は、ＡＡＡタイプは、すでにこのタイプの収集モジュールを組み込んでいるからである。
【００５８】
収集された後、請求情報は、ユーザが顧客であるオペレータに送信される。
【００５９】
管理モジュール２０は、電子回路、ソフトウエア（もしくはデータ処理）モジュール、または回路とソフトウエアとの組合わせの形態を取ることができる。
【００６０】
本発明の設備では、各オペレータに装置を装備すること、またはすべてのオペレータに共通の装置を提供することを考慮することができる。この場合、「装置」という用語は、たとえば、ＨＬＲタイプ位置サーバに装備された主要ネットワークＲＰの顧客の移動通信装置９の公称位置を検出および記憶するための第１のテーブルおよび位置決めモジュール８に接続することができ、かつ、たとえば、インテリジェントネットワークタイプのサービスサーバ１０に装備されたＬＢＳなどの位置サービスモジュール１１に接続することができる、少なくとも１つの管理モジュールを意味する。装置は、同様に、第１の識別子と、第１のメモリ１８に記憶された無線ローカルエリアネットワークにアクセスする許可との対応を列挙した第１のテーブル、および／または第２の識別子と、第２のメモリ２１に記憶された第３の識別子との対応を列挙した第２のテーブルを含むことができる。
【００６１】
さらに、以上の記述は、移動装置９が、主要ネットワークＲＰオペレータの顧客であるユーザが所有することを暗示している。しかし、ある移動装置が、主要ネットワークＲＰのオペレータの顧客ではなく、したがってそのオペレータによって特定することができないユーザが所有することを考慮することができる。そのような人物が、彼らが位置するローカルエリアの無線ローカルエリアネットワークＷＬＡＮ−ｉに接続することを可能にするために、２つの解決方法を考慮することができる。
【００６２】
第１の解決方法は、好ましくは該当するローカルエリアの販売点において（あらゆる場所とすることができるが）、英数字パスワードおよび可能であればユーザ名など、潜在的なユーザに利用可能である第２の識別子を含んでいるスクラッチカードを作成することである。
【００６３】
第２の解決方法は、たとえば専用のプレミアムレートの数字（０８３６タイプの）をダイヤルすることによって、公衆電話を介してアクセスすることができる音声サーバを提供することである。音声サーバとの接続がセットアップされたとき、サーバは、英数字パスワードおよび可能であればユーザ名などの第２の識別子を発呼者に供給する。
【００６４】
これらの両方の解決方法では、ユーザが、自分のパスワード（および適用可能であれば自分のユーザ名）を所有した後、ユーザは、適切な接続手段を備えた自分の移動装置を使用して、自分が位置するローカルエリアのＷＬＡＮ−ｉのアクセスポイント１２または１４に接続することができる。スクラッチカードにある、または音声サーバによって電話を介して送達された第２の識別子（およびユーザ名）は、認証手続きを実施することができるように、サーバ１９の第２のメモリ２１に記憶されることが好ましい。その後の動作は、上述した動作と正確に同じであるが、ＷＬＡＮ−ｉを介したインターネットネットワークおよび／またはイントラネットネットワークへのアクセス、または単にＷＬＡＮ−ｉ自体へのアクセスが、無料サービスのみに関し、かつ請求されないこと点が異なる。
【００６５】
本発明は、また、ローカルなカバレージエリアをそれぞれが有する１つまたは複数の無線通信ローカルエリアネットワーク（ＷＬＡＮ）へのアクセスを制御する方法も提供し、ローカルなカバレージエリアの少なくとも一部が、１つまたは複数の主要通信ネットワークの主要なカバレージエリアに含まれる。
【００６６】
本方法は、上述した装置および設備によって実施することができる。本方法のステップによって提供される主要機能および随意選択機能と準機能とは、装置および設備を構成するさまざまな手段によって提供された機能とほぼ同一であり、本発明の方法の主要機能を実施するステップのみについて、以下で概述する。本方法は、
まず、主要ネットワークの顧客に属し、かつ主要エリアに存在する少なくともいくつかの移動通信装置の位置を検出すること、
次に、ローカルエリアの１つにほぼある移動装置の第１の識別子を選択するために、それらの位置をローカルエリアの位置と比較すること、
各選択された移動装置に、主要ネットワークを介して、顧客が位置するローカルエリアのローカルエリアネットワークに移動装置が接続することができることをユーザに通知するメッセージを送信することとを含む。
【００６７】
次いで、すぐに、または認証ステップの後に、接続を実施することができる。後者の場合、移動装置に送信されたメッセージは、単一の使用のためのものであることが好ましい第２の識別子をも含む。
【００６８】
第１の識別子を選択するステップの後、追加のステップを同様に提供することができる。この追加のステップは、関連付けられた移動装置が位置するローカルエリアのローカルエリアネットワークにアクセスする許可（またはアクセスすることからの利益）を有する第１の識別子を保持するために、移動装置の第１の識別子とローカルエリアネットワークへのアクセスの許可との対応を列挙した第１のテーブルにアクセスすることである。この場合、第１の識別子が保持されている移動装置にのみ、メッセージが送信される。
【００６９】
本発明は、メッセージサービスおよび位置サービスを提供するすべての主要な公衆移動電話ネットワークに関し、具体的には、ＧＳＭ、ＧＰＲＳ、およびＵＭＴＳのタイプ、インターネットプロトコル（ＩＰ）ネットワーク、私設ネットワーク、および具体的にはＷＬＡＮタイプのすべての無線ローカルエリアネットワークに関する。しかし、本発明は、同様に、スラヤおよびイリジウムなどの衛星アクセスネットワークにも関する。
【００７０】
本発明は、単に例示として前述した方法、設備、および装置の実施形態に限定されず、当業者なら請求項の範囲内において考慮することが可能であるすべての変形形態を包含する。
【図面の簡単な説明】
【００７１】
【図１】本発明の実施形態を概略的に示す図である。
【図１】
2005528851.tif 000003
【国際調査報告】
2005528851.tif 000004
2005528851.tif 000005
2005528851.tif 000006
2005528851.tif 000007